(57)【要約】      （修正有）【課題】被吸着面に対して起立状態を維持することができるとともに、容易に吸着状態を解除することができる着脱自在のペンケースを提供する。【解決手段】ペンケースは、筆記用具を収容するペンケース本体１０と、ペンケース本体を被吸着面に吸着させる吸着体２０と、を備え、吸着体は、下方側を被吸着面に対して吸着する吸着面と、吸着面の周縁部をめくり上げて吸着状態を解除するための押圧部２２と、を有する。【選択図】図１
0003227250.tif 000002
【実用新案登録請求の範囲】
【請求項１】
筆記用具を収容するためのペンケース本体と、前記ペンケース本体を被吸着面に対して着脱自在に吸着する吸着体と、からなり、
前記ペンケース本体は、前記ペンケース本体の上部に開閉自在の開口部と、前記ペンケース本体の底面側に前記吸着体を取り付けるための取付部と、を有し、
前記吸着体は、被吸着面に対して吸着する吸着面と、前記吸着面の周縁部をめくり上げて吸着状態を解除するための押圧部と、を有することを特徴とするペンケース。
【請求項２】
吸着面の周縁部は、短辺及び長辺からなる方形状であることを特徴とする請求項１記載のペンケース。
【請求項３】
吸着面は、周縁部よりも所定の深さで中央付近に凹んで形成された中央部と、前記周縁部及び前記中央部の間において傾斜する傾斜面と、を有することを特徴とする請求項１又は２のいずれか一項に記載のペンケース。
【請求項４】
押圧部は、周縁部の長辺から水平方向に延出した延出部と、前記延出部の端から上方に突出して形成された押圧面を有することを特徴とする請求項１又は２のいずれか一項に記載のペンケース。
【請求項５】
ペンケース本体の取付部は、前記ペンケース本体の底面全体に形成された凹部と、前記凹部の中央付近にペンケース本体の内部まで貫通する差込穴と、を有することを特徴とする請求項１記載のペンケース。
【考案の詳細な説明】
【技術分野】
【０００１】
本考案は、筆記用具を収容するペンケースに関するものである。
【背景技術】
【０００２】
従来、机上面のスペースを有効に利用するため、ペンケースを起立状態で設置することができるとともに、ペンケースから直立した状態の筆記用具を取り出し可能とするペン立ての機能も兼ね備えたペンケースが知られている（例えば特許文献１参照）。
【０００３】
しかしながら、このペンケースは上部にファスナーやボタン等の開閉構造を備えるものであるため、ペンや鉛筆等の筆記用具を収容した状態では重心が比較的高いためバランスを保つことが難しく、筆記用具を取り出した際にペンケース本体が倒れたりして起立状態を維持することが困難であった。
【０００４】
また、特許文献２に記載されたペンケースはペンケース自体に複数の吸着板を備えたものであり、机の上面に吸着させることでペンケースを安定した状態で設置することができる一方で、片付ける際に複数の吸着板を取り外して吸着状態を解除する必要があり、手間がかかるなど利便性の低いものであった。
【先行技術文献】
【特許文献】
【０００５】
【特許文献１】特開２０１７―２００５７０号公報
【特許文献２】実開昭６３―５８１９号公報
【考案の概要】
【考案が解決しようとする課題】
【０００６】
そのため、机上面のスペースを有効に利用することができるように、ペンケースを机上面に対してしっかりと安定した起立状態を維持することができるとともに、着脱自在に吸着固定することが可能なペンケースが望まれている。
【０００７】
本考案は、上記課題に鑑み、筆記用具を収容するためのペンケース本体と、前記ペンケース本体を被吸着面に対して着脱自在に吸着する吸着体と、からなり、
前記ペンケース本体は、前記ペンケース本体の上部に開閉自在の開口部と、前記ペンケース本体の底面側に前記吸着体を取り付けるための取付部と、を有し、
前記吸着体は、被吸着面に対して吸着する吸着面と、前記周縁部をめくり上げて吸着状態を解除するための押圧部と、を有するものである。
【０００８】
また、上述した構成に加え、吸着面の周縁部は、短辺及び長辺からなる方形状であることが好ましい。
【０００９】
また、上述した構成に加え、吸着面は、周縁部よりも所定の深さで中央付近に凹んで形成された中央部と、前記周縁部及び前記中央部の間において傾斜する傾斜面と、を有することが好ましい。
【００１０】
また、上述した構成に加え、押圧部は、周縁部の長辺から水平方向に延出した後、上方に突出して形成された押圧面を有することが好ましい。
【００１１】
また、上述した構成に加え、ペンケース本体の取付部は、前記ペンケース本体の底面全体に形成された凹部と、前記凹部の中央付近にペンケース本体の内部まで貫通する差込穴と、を有することが好ましい。
【考案の効果】
【００１２】
上述した本考案によれば、吸着体によってペンケースの起立状態を維持することができるとともに、被吸着面に対して容易に吸着状態を解除することができる着脱自在のペンケースを提供することが可能である。
【図面の簡単な説明】
【００１３】
【図１】本考案の実施形態に係るペンケースの一例を示す斜視図である。
【図２】図１に示すペンケースの底面図である。
【図３】図１の吸着体及び被吸着面を示す斜視図である。
【図４】図１の吸着体周辺の構造を示す側面方向からの中央縦断面図であり、（ａ）吸着させる前の非吸着状態、及び、（ｂ）被吸着面に吸着させた吸着状態である。
【図５】図４（ｂ）の吸着状態において（ａ）ペンケース本体が傾斜した状態の吸着体周辺の構造を示す正面方向からの縦断面図、及び、（ｂ）ペンケース本体が上方に持ち上げられた状態の吸着体周辺の構造を示す側面方向からの中央縦断面図である。
【図６】図１に示すペンケース本体の回動部を回動させた状態を示す側面図である。
【考案を実施するための形態】
【００１４】
本考案の実施形態について図１−６に基づいて詳細に説明する。なお、本実施形態に示すペンケースのペンケース本体を吸着させる被吸着面Ｓとして、学習や事務等で使用される机の上面等が挙げられる。また、ペンケース本体の起立状態とは被吸着面に対して直角及び直角からやや傾斜した角度で設置した状態を含むものである。また、後述する方形状の吸着面は、角部周辺に丸みを帯びた形状を含むものである。
【００１５】
（実施形態）
ペンケースは、筆記用具を収容するペンケース本体１０と、ペンケース本体１０を被吸着面Ｓに吸着させる吸着体２０と、を主体として構成されるものである。
【００１６】
ペンケース本体１０は、弾性及び柔軟性を備えたエラストマー（例えばシリコーン樹脂やゴムなど樹脂材）を主体として全体が略直方体の箱状に形成されたものであり、ペンケース本体１０の上部に開閉自在の開口部１１と、ペンケース本体１０の底面側に吸着体２０を取り付けるための取付部１２と、を有する。なお、このペンケース本体１０は、ペン立てとしての機能を有するようにするため、高さ約１９２ｍｍ、横幅約８４ｍｍ、奥行約５０ｍｍとする縦長の箱形状であることが好適である。
【００１７】
開口部１１は、ペンケース本体１０の上面から左右の両側面の中央付近まで斜め前方下方に切り欠いて形成される開口縁部１１ａ、１１ａと、この開口縁部１１ａ、１１ａに内包された一対の略逆Ｕ字状のフレーム部１１ｂ、１１ｂと、フレーム部１１ｂ、１１ｂの両端のみを露出させるとともに、このフレーム部１１ｂ、１１ｂの両端を中心に回動するヒンジ部１１ｃ、１１ｃと、からなるものである。また、ペンケース本体１０の開口縁部１１ａは、それぞれの上端付近において開口部１１の閉じた状態を保持するために略球状に形成された一対の係合片１１ｄ、１１ｄを有する。
【００１８】
ペンケース本体１０の上方正面側に位置する回動部１１ｅは、図６に示すように、ペンケース本体１０の左右両側面に位置するヒンジ部１１ｃ、１１ｃを中心にしてペンケース本体１０の底面側の位置まで最大で約１７０度程度まで回動するものである。この回動部１１ｅに追従する係合片１１ｄが、被吸着面Ｓに当接して支持することで、ペンケース本体１０の起立状態を補助することが可能である。なお、この回動部１１ｅは、開口縁部１１ａ全体を傾斜した状態で展開することができるため、この開口縁部１１ａの周辺又は内側に携帯電話やスマートフォン等の端末を立て掛けたり、消しゴムなどの小物を置くことが可能である。
【００１９】
次に、ペンケース本体１０を被吸着面Ｓに吸着させる吸着構造について説明する。この吸着構造は、被吸着面Ｓに吸着する吸着体２０と、ペンケース本体１０の底面に吸着体２０を取り付けるために、底面全体に形成された方形状の凹部１２ａと、凹部１２ａの中央付近にペンケース本体１０の内部まで貫通する２つの差込穴１２ｂ、１２ｂと、からなる取付部１２と、を備えてなるものである。なお、図４には、被吸着面Ｓに対して吸着体２０が吸着する前の非吸着状態（図４(ａ)参照）、及び、吸着させた吸着状態（図４（ｂ）参照）における吸着体２０付近の構造が示されている。
【００２０】
ペンケース本体１０の底面側の正面は、吸着体２０の押圧部２２を嵌め込むために、ペンケース本体１０の底面の取付部１２から連続して凹状に形成された段部１１ｆを有し、この段部１１ｆは吸着体２０の押圧部２２を嵌め込んだ状態でペンケース本体１０の正面と同一平面上に位置する程度の深さで形成されている（特に図１参照）。
【００２１】
吸着体２０は、ペンケース本体１０と同様に、弾性及び柔軟性を備えたエラストマー（例えばシリコーン樹脂やゴムなど樹脂材）を主体として形成され、下方側を被吸着面Ｓに対して吸着する方形状の周縁部２１ａを備えた吸着面２１と、取付部１２の差込穴１２ｂ、１２ｂに差し込むために吸着体２０の上方に突出した差込部２３、２３と、吸着面２１の周縁部２１ａをめくり上げて吸着状態を解除するための押圧部２２と、を有する（特に図２、図４、図５参照）。なお、この吸着体２０の周縁部２１ａは、取付部１２の凹部１２ａの内側に収まる程度の大きさであり、より具体的には、取付部１２の凹部１２ａと同程度の大きさである短辺２１ｂを４０ｍｍ及び長辺２１ｃを７４ｍｍとすることが好適である。
【００２２】
吸着体２０の吸着面２１は、図４に示すように、下方に反転させた角張りの椀型形状（または、断面形状は略Ｕ字状）であり、短辺２１ｂ及び長辺２１ｃからなる方形状の周縁部２１ａと、周縁部２１ａよりも所定の深さｄで中央付近に凹んで形成された略平面形の中央部２１ｄと、周縁部２１ａから中央部２１ｄとの間に被吸着面Ｓに対して緩やかな傾斜角θで傾斜する傾斜面２１ｅと、からなるものである。なお、周縁部２１ａの長辺は、ペンケース本体１０の底面側に吸着体２０を取り付けた状態においてペンケース本体１０の正面側に位置する部分である。また、吸着面２１の周縁部２１ａが楕円形状の場合には、周縁部２１ａの長辺は、楕円の長径方向と略平行に位置する部分である（図示しない）。
【００２３】
吸着体２０の傾斜面２１ｅは、約１０度以下の緩やかな傾斜角θで傾斜させることで、ペンケース本体１０を被吸着面Ｓに置いた際にペンケース本体１０の自重によって吸着面２１内の押し出される空気量を従来の略半球状の吸盤に比べて少なくすることができ、そのため大気圧に比べて若干程度の小さい内部空気圧にすることができ、弱い吸着力が生じる吸着状態にすることが可能である（特に図４参照）。
【００２４】
吸着体２０の周縁部２１ａは、図４（ｂ）に示す被吸着面Ｓに対して吸着させた吸着状態において、取付部１２の凹部１２ａの角部１２ｃに当接し得る程度の長さである。また、周縁部２１ａの厚みは、中央部２１ｄに比べて先細りになるように形成することが好適である。
【００２５】
吸着体２０の中央部２１ｄは、吸着面２１の周縁部２１ａの被吸着面Ｓにおける上方からの投影面積Ａの約５分の１程度以上から投影面積Ａ未満の間の中央面積Ｂを備えた略長方形の平面形状である（特に図２、３参照）。なお、この中央部２１ｄは、上述した寸法の被吸着面Ｓにおける周縁部２１ａの投影面積Ａに対して、深さｄが２ｍｍ程度の位置において、横幅４３ｍｍから４９ｍｍ程度、及び、縦幅１２ｍｍから１５ｍｍ程度からなり、おおよそ５分の１程度の中央面積Bを有することが好適である。
【００２６】
この吸着体２０は、図５（ａ）に示すように、例えばペンケース本体１０が背面方向に転倒しそうになった際に、十分な幅の長辺２１ｃを備えた傾斜面２１ｅが正面側及び背面側の被吸着面Ｓに対してしっかりと当接するとともに、中央部２１ｄ付近が弾性変形して空隙を拡大することで、吸着面２１内の内部空気圧が減少してより一層強い吸着力が生じる吸着状態を保持することができ、ペンケース本体１０が起立状態を安定して維持することが可能である。
【００２７】
また、この吸着体２０は、図５（ｂ）に示すように、ペンケース本体１０を上方向に持ち上げようとした際も、差込部２３、２３の近傍に局所的に２つの空隙が拡大することで、上述のように吸着面２１内の内部空気圧が減少してより一層強い吸着力を生じる吸着状態にすることが可能である。
【００２８】
差込部２３、２３は、ペンケース本体１０の取付部１２の差込穴１２ｂ、１２ｂに差し込んで係合保持にするとともに、ペンケース本体１０の起立状態から倒れようとした際に、差込部２３、２３自体の弾性によって起立状態に戻るようにするために、吸着体２０の上面より上方に突出した断面略Ｔ字状の鍔部２３ａを有するものである。
【００２９】
吸着体２０の押圧部２２は、周縁部２１ａの長辺２１ｃから水平方向に延出した延出部２２ａと、この延出部２２ａの端から垂直上方に突出して形成された略半円形状の押圧面２２ｂを有するものである（特に図１、図３参照）。この押圧面２２ｂは、周縁部２１ａの長辺２１ｃに比べて三分の一程度の横幅を備えており、ペンケース本体１０側に指先などで押し込まれることで、吸着面２１の周縁部２１ａの長辺２１ｃが容易にめくり上げられ、それに伴い吸着面２１内に空気を流入して吸着状態を解除することができ、片手のみでペンケースの移動や片付けることができるため利便性を向上することが可能である。
【００３０】
上記の実施形態では本考案の好ましい実施形態を例示したが、本考案は上記の実施形態に限定されるものではなく、実用新案登録請求の範囲に記載した範囲内で改善や変更が可能である。例えば、ペンケース本体は略円筒体のものであってもよい。また、吸着面の周縁部は、ペンケース本体の底面側の形状と同様の形状にしてもよく、円形状、楕円形状、多角形状等でもよい。
【符号の説明】
【００３１】
１０  ペンケース本体、
１１  開口部、１１ａ  開口縁部、１１ｂ  フレーム部、１１ｃ  ヒンジ部、１１ｄ  係合片、１１ｅ  回動部、１１ｆ  段部、
１２  取付部、１２ａ  凹部、１２ｂ  差込穴、１２ｃ  角部、
２０  吸着体、２１  吸着面、２１ａ  周縁部、２１ｂ  短辺、２１ｃ  長辺、２１ｄ  中央部、２１ｅ  傾斜面、２２  押圧部、２２ａ  延出部、２２ｂ  押圧面、２３  差込部、２３ａ  鍔部
Ｓ  被吸着面、Ａ  投影面積、Ｂ  中央面積。
【図１】
0003227250.tif 000003
【図２】
0003227250.tif 000004
【図３】
0003227250.tif 000005
【図４】
0003227250.tif 000006
【図５】
0003227250.tif 000007
【図６】
0003227250.tif 000008